(57)【要約】【課題】  多種多様のデザインを実現することができ、箸としての機能性だけでなく、箸置きやインテリアとしての機能も発揮しつつ、種々のイベントを一目で思い返せる高いメッセージ機能を発揮するデザイン箸セットを提供する。【解決手段】  箸に形成されたデザイン１５と箸ホルダ１０に形成されたデザインとから一体のデザインを構成するデザイン箸セットであって、箸ホルダ１０に形成された第一のデザイン１１と、一対の箸１５，１５の一方に形成された第二のデザイン１６及び他方に形成された第三のデザイン１７とを有し、第一のデザイン１１は平面状又は立体状の図柄若しくは立体形状で構成され、第一のデザイン１１と箸ホルダ１０の所定位置に位置決めされた一方の箸１５の第二のデザイン１６及び／又は他方の箸１５の第三のデザイン１７とが協働して、全体で一体のデザインを構成するようにした。【選択図】  図１
2014008300.tif 000002
【特許請求の範囲】
【請求項１】
箸に形成されたデザインと箸ホルダに形成されたデザインとから一体のデザインを構成するデザイン箸セットであって、
前記箸ホルダに形成された第一のデザインと、
一対の前記箸の一方に形成された第二のデザイン及び他方に形成された第三のデザインと、
を有し、
前記第一のデザインは平面状又は立体状の図柄若しくは立体形状で構成され、
前記第一のデザインと前記箸ホルダの所定位置に位置決めされた前記一方の箸の前記第二のデザイン及び／又は前記他方の箸の前記第三のデザインとが協働して、全体で一体のデザインを構成すること、
を特徴とするデザイン箸セット。
【請求項２】
前記第一のデザインの少なくとも一部を前記第二のデザインと前記第三のデザインとの間に位置させることで、全体で一体のデザインを構成することを特徴とする請求項１に記載のデザイン箸セット。
【請求項３】
前記第一のデザインの少なくとも一部が立体状の図柄又は立体形状で形成され、この立体状の図柄又は立体形状の部分を前記第二のデザインと前記第三のデザインの間に位置させることで、全体で一体のデザインを構成することを特徴とする請求項１に記載のデザイン箸セット。
【請求項４】
前記箸ホルダに設けられ、前記一方の箸及び前記他方の箸を前記箸ホルダの所定位置に位置決めして保持する保持部をさらに有し、
この箸保持部には、前記第一のデザイン、前記第二のデザイン及び前記第三のデザインと協働して全体で一体のデザインを構成する平面状又は立体状の図柄若しくは立体形状が形成されていることを特徴とする請求項１〜３のいずれかに記載のデザイン箸セット。
【請求項５】
前記保持部を複数設け、これら保持部の各々に前記平面状又は立体状の図柄若しくは前記立体形状を形成したことを特徴とする請求項４に記載のデザイン箸セット。
【請求項６】
前記一方及び前記他方の箸の他の側面の少なくとも一つに前記第二又は前記第三のデザインと異なるデザインを形成し、このデザインを形成した前記一方又は他方の箸を回転させることで、前記デザインの切り換えを行うことを特徴とする請求項１〜５のいずれかに記載のデザイン箸セット。
【発明の詳細な説明】
【技術分野】
【０００１】
本発明は、箸に形成されたデザインと箸ホルダに形成されたデザインとから一体のデザインを構成するデザイン箸セットに関する。
【背景技術】
【０００２】
近年、箸は食事をする際の実用的な用途の他に、贈答品や記念品として贈られることも多くなっている。このような贈答品や記念品としての箸には、漆塗りを施して高級感を持たせたり、種々のデザインを施してある種のメッセージを伝える機能性を持たせたりするなどの工夫か凝らされている。
立体的なデザインを施したものとしては、例えば特開２００９−１８３４００号公報や特開２００９−３４３５１号公報に開示されたものが知られている。
【先行技術文献】
【特許文献】
【０００３】
【特許文献１】特開２００９−１８３４００号公報
【特許文献２】特開２００９−３４３５１号公報
【発明の開示】
【発明が解決しようとする課題】
【０００４】
しかし、上記した従来のデザイン箸は、贈答された側において長期の間に忘れさられてしまうという問題がある。また、記念式典や冠婚葬祭等のイベントが行われるたびに似たような箸が贈答されると、何のイベントだったのかが短期間で忘れ去られてしまうという問題がある。
その一方で、結婚式や入学式、卒業式、叙勲等の人生における大イベントは、長く記憶に止めてもらいたいという贈答側の想いがあり、このような要求を満たすメッセージ性の高いデザイン箸セットが切望されている。
本発明はこのような要求に応えることのできるデザイン箸セットの提供を目的とする。
【課題を解決するための手段】
【０００５】
上記目的を達成するために本発明は、箸に形成されたデザインと箸ホルダに形成されたデザインとから一体のデザインを構成するデザイン箸セットであって、前記箸ホルダに形成された第一のデザインと、一対の前記箸の一方に形成された第二のデザイン及び他方に形成された第三のデザインと、を有し、前記第一のデザインは平面状又は立体状の図柄若しくは立体形状で構成され、前記第一のデザインと前記箸ホルダの所定位置に位置決めされた前記一方の箸の前記第二のデザイン及び／又は前記他方の箸の前記第三のデザインとが協働して、全体で一体のデザインを構成するようになっている。
【０００６】
前記第一のデザインの少なくとも一部を前記第二のデザインと前記第三のデザインとの間に位置させることで、全体で一体のデザインを構成させるようにしてもよい。
前記第一のデザインの少なくとも一部が立体状の図柄又は立体形状で形成され、この立体状の図柄又は立体形状の部分を前記第二のデザインと前記第三のデザインの間に位置させることで、全体で一体のデザインを構成させるようにしてもよい。
【０００７】
前記箸ホルダに設けられ、前記一方の箸及び前記他方の箸を前記箸ホルダの所定位置に位置決めして保持する保持部をさらに有し、この箸保持部には、前記第一のデザイン、前記第二のデザイン及び前記第三のデザインと協働して全体で一体のデザインを構成する平面状又は立体状の図柄若しくは立体形状が形成されているようにしてもよい。
【０００８】
前記保持部を複数設け、これら保持部の各々に前記平面状又は立体状の図柄若しくは前記立体形状を形成してもよい。
前記一方及び前記他方の箸の他の側面の少なくとも一つに前記第二又は前記第三のデザインと異なるデザインを形成し、このデザインを形成した前記一方又は他方の箸を回転させることで、前記デザインの切り換えを行うようにしてもよい。
【発明の効果】
【０００９】
本発明のデザイン箸セットは、箸セットのデザイン性をより高めるとともに、平面や立体の種々のデザインを組み合わせることで多種多様のデザインを実現することができ、箸としての機能性だけでなく、箸置きやインテリアとしての機能も発揮しつつ、種々のイベントを一目で思い返せる高いメッセージ機能を発揮することができる。
【発明を実施するための最良の形態】
【００１０】
本発明のデザイン箸セットの好適な実施形態を、図面を参照しながら詳細に説明する。
［第一の実施形態］
図１及び図２は、本発明のデザインの第一の実施形態にかかり、図１（ａ）は箸ホルダの平面図、図１（ｂ）は箸の平面図、図２は箸ホルダに箸を保持させて完成させたデザイン箸セットの平面図である。
図１（ａ）に示すように、箸ホルダ１０には、所定のデザインを形成するためのデザイン領域１２が設けられていて、このデザイン領域１２に第一のデザイン１１が描画される。
第一のデザイン１１は、三つの図柄１１ａ，１１ｂ，１１ｃから構成され、左右の図柄１１ａと図柄１１ｂは箸ホルダ１０に一対の箸１５，１５（図１（ａ）において仮想線で示す）を保持させたときに一対の箸１５によって隠されるようになっているとともに、中間の図柄１１ｃは一方の箸１５と他方の箸１５との間の空間に位置するように配置されている。
【００１１】
図１（ｂ）に示すように、一方の箸１５には第二のデザイン１６が形成され、他方の箸１５には第三のデザイン１７が形成されている。
図２に示すように、一対の箸１５，１５は、一方の箸１５と他方の箸１５とを少し間隔を空けて箸ホルダ１０に保持される。
図示の例では、箸１５，１５を保持するための帯状の保持部材１８が箸ホルダ１０に取り付けられる。保持部材１８は箸ホルダ１０と別体であってもよいし一体に形成されていてもよい。この保持部材１８を使って箸ホルダ１０の所定位置に箸１５，１５を保持させると、一方の箸１５の第二のデザイン１６と、一対の箸１５，１５の間の隙間に露出する図柄１１ｃと、他方の箸１５の第三のデザイン１７とが一体となったデザインを構成する。
【００１２】
図柄１１ａ，１１ｂは、箸１５，１５の第二のデザイン１６及び第三のデザイン１７と同じにしておくことで、箸１５，１５を箸ホルダ１０から取り出した際も、同じデザインを表示することができる。もちろん、図柄１１ｃを共通とする他のデザインになるような図柄１１ａ，１１ｂであってもよい。
なお、保持部材１８の表面にも、図柄１１ｃ，第二のデザイン１６及び第三のデザイン１７と協働して一体のデザインを構成する第四のデザイン１９を設けてもよい。
【００１３】
上記した第二のデザイン１６、第三のデザイン１７，図柄１１ｃとしては、例えば、第二のデザイン１６として学生服姿の男の子の絵柄、第三のデザインとしてセーラー服姿の女の子の絵柄であり、図柄１１ｃにおいて男の子と女の子が手をつなぐ図柄で、箸１５，１５を箸ホルダ１０に保持させたときに、全体として満開の桜の木の下で男の子と女の子が手をつなぐ入学式のデザインを構成するようなものを挙げることができる。また、保持部材１８の表面に形成する第四のデザイン１９としては、桜の花で彩った「祝ご入学」の文字を含む図柄を挙げることができる。
【００１４】
図柄１１ａとして学生服姿の男の子の絵柄を、図柄１１ｂとしてセーラー服姿の女の子の絵柄を選択することで、箸１５，１５を箸ホルダ１０から取り出した際にも、同じデザインを楽しむことができる。
なお、デザイン領域１２には構成しようとするデザインに応じた背景を描くことができ、例えば、上記の入学祝いの例を挙げれば、前記背景として小学校の校舎を描いてもよい。さらに、デザイン領域１２は、箸ホルダ１０の表面の全体に亘って形成してもよく、全体に背景を描くようにしてもよい。
【００１５】
［第二の実施形態］
この第二の実施形態では、第一のデザイン１１の図柄１１ｃを立体としている。すなわち、この実施形態では、第一のデザイン１１において図柄１１ａと図柄１１ｃとの間及び図柄１１ｂと図柄１１ｃの間にそれぞれ図柄１１ｄ，１１ｅを形成し、各図柄の間に折り曲げ線（ｉ）、（ｉｉ）を設けている。図３（ｂ）（ｃ）に示すように、箸ホルダ１０の保持部材１８に箸１５，１５を保持させるべく、折り曲げ線（iii）(iv)のところで保持部材を立体的に折り曲げると、矢印で示す方向に箸ホルダ１０に力が加わって、箸ホルダ１０が折り曲げ線（ｉ）、（ｉｉ）で立体的に折れ曲がり、箸１５の下に図柄１１ａ，１１ｂが位置し、箸１５，１５の側面に図柄１１ｄ，１１ｅが位置し、図柄１１ａ，１１ｂ，１１ｄ，１１ｅが隠れる。一方、図柄１１ｃは第二のデザイン１６及び第三のデザイン１７の間でこれらと同じ高さまで持ち上がる。
【００１６】
先の実施形態と同様に、一方の箸１５の第二のデザイン１６と、一対の箸１５，１５の間の隙間に露出する図柄１１ｃと、他方の箸１５の第三のデザイン１７とが一体となったデザインを構成する。
この実施形態のように構成すれば、箸１５，１５を箸ホルダ１０に保持させた際に、図柄１１ｃが第二のデザイン１６及び第三のデザイン１７と同じ高さまで持ち上がり、第二のデザイン１６及び第三のデザイン１７と図柄１１ｃとが同一の平面内で一体となったデザインを構成する。そのため、第一の実施形態のデザイン箸セット１よりも見栄えのよいデザインを得ることができるという利点がある。
【００１７】
なお、先の実施形態と同様に、第二のデザイン１６及び第三のデザイン１７と同じデザインを第一のデザイン１１に形成しておくことで、箸１５，１５を箸ホルダ１０から取り出した後も、箸１５，１５を箸ホルダ１０に保持させたときと同じデザインを楽しむことができる。
【００１８】
上述したように、この実施形態では保持部材１８の一部を折り曲げ線（ｉｉｉ），（ｉｖ）で立体的に折り曲げることで、箸１５，１５を挿入する孔が形成される。保持部材１８の第四のデザイン１９は、先の実施形態と同様に、保持部材１８を折り曲げ線（ｉｉｉ），（ｉｖ）で折り曲げた後も他のデザインや図柄と調和のとれるようなデザインを選択する。
また、この第二の実施形態では、箸ホルダ１０の一部を折り返してカバー２０を形成しており、このカバー２０の表面に、他のデザインや図柄と調和のとれるような第五のデザインを形成している。
【００１９】
本発明のデザイン箸セットによれば、第一〜第三のデザイン又は第一〜第五のデザインを、デザインの統一性がとれる範囲で種々に選択することで、当該デザインを介してあらゆるメッセージを伝達し、残すことができる。また、デザイン性を高くすることができることから、一般的な箸及び箸ホルダとして利用できる他、インテリアとしての機能も発揮して、贈答された側において長期に亘って記憶（記録）を残すことが期待でき、贈答された人に長い間記憶を残すことが可能である。
【００２０】
図４は、本発明の具体的な一実施例を示すものである。
この実施例のデザイン箸セットは、結婚祝いの引き出物としてデザインされていて、神社の石段の上で新郎と新婦が神社の建物を背景として手をつないでいるものである。
第二のデザイン１６として新郎の図柄が一方の箸１５に描かれ、第三のデザインとして新婦の図柄が他方の箸１５に描かれている。第一のデザイン１１の図柄１１ｃは、新郎と新婦が手をつなぐ図柄である。デザイン領域１２が箸ホルダ１０の表面の全体に亘って形成され、背景として神社の建物と石段とが描かれている。保持部材１８の表面に描かれた第四のデザイン１９は、「良縁」の文字と水引で構成されている。また、箸ホルダ１０の下端の一部を折り返して形成されたカバー２０には、「ＨＡＰＰＹ  ＣＯＵＰＬＥ」の文字が第五のデザイン２０として描かれている。
【００２１】
第四のデザイン１９又は第五のデザイン２０には、新郎と新婦の名前や結婚した日付等を含んでいてもよい。
この例では、全体としてある男女の結婚というおめでたいメッセージを伝えるものであり、贈答された側において箸１５を使用する際にも、インテリアとして飾る場合にも、その思い出を贈答された側に残したり、記憶を蘇らせたりする効果がある。
【００２２】
本発明の好適な実施形態について説明したが、本発明は上記の説明に限定されるものではない。
例えば、箸１５に形成する第二のデザイン１６及び第三のデザイン１７は、箸１５の一つの面だけでなく一つ又は二つ以上の他の面に形成してもよく、箸１５を回転させることで異なるデザインを構成させることも可能である。
また、保持部材１８に形成する第四のデザイン１９は、平面状に限らず立体状のものであってもよい。さらに、保持部材１８の数は一つに限らず複数であってもよい。
【００２３】
また、箸は二本一組の棒材から構成されるのが一般的であるが、この明細書では、一組の箸を構成する棒材の各々も「箸１５」の概念に含まれる。すなわち、一つの箸を構成する二本の棒材１５、１５の各々に第二のデザイン１６及び第三のデザイン１７を形成し、これらと第一のデザイン１１とを協働させて一体のデザインを構成させることも本発明の技術的範囲に含まれる。
【図面の簡単な説明】
【００２４】
【図１】本発明のデザインの第一の実施形態にかかり、図１（ａ）は箸ホルダの平面図、図１（ｂ）は箸の平面図である。
【図２】図２は箸ホルダに箸を保持させて完成させたデザイン箸セットの平面図である。
【図３】本発明の第二の実施形態にかかるデザイン箸セットの説明図である。
【図４】本発明のデザイン箸の一実施例である。
【符号の説明】
【００２５】
１          デザイン箸セット
１０        箸ホルダ
１１        第一のデザイン
１１ａ〜１１ｅ    図柄
１２        デザイン領域
１５        箸
１６        第二のデザイン
１７        第三のデザイン
１８        保持部材
１９        第四のデザイン
２０        カバー
２１        第五のデザイン
【図１】
2014008300.tif 000003
【図２】
2014008300.tif 000004
【図３】
2014008300.tif 000005
【図４】
2014008300.tif 000006